(57)【要約】      （修正有）【課題】外部からの光を適正に遮光しつつ、検者が遮光された空間内で容易に作業できるようにする。【解決手段】眼科装置１は、光学系を備えた検査ユニット２と、検査ユニット２の検査窓２ａと被検眼Ｅとが間隔をあけて向き合う状態で被検者の顔を支持する顔支持ユニット９と、を有する。遮光ユニット１００は、眼科装置１へ取り付けられる。遮光ユニット１００は、顔支持ユニット９へ取り付けられるマウント部と、外部光を遮るための暗幕１１０ａが装着されるフレーム部と、を備える。フレーム部は、マウント部によって支持され、被検者の頭部を囲いつつ、被検者から見て検査窓２ａよりも遠位側まで届くように形成されている。【選択図】図１
2020081114.tif 000002
【特許請求の範囲】
【請求項１】
光学系を備えた検査ユニットと、前記検査ユニットの検査窓と被検眼とが間隔をあけて向き合う状態で被検者の顔を支持する顔支持ユニットと、を有する眼科装置、へ取り付けられる遮光ユニットであって、
前記顔支持ユニットへ取り付けられるマウント部と、
外部光を遮るための遮光体が装着されるフレーム部と、を備え、
前記フレーム部は、前記マウント部によって支持され、被検者の頭部を囲いつつ、被検者から見て前記検査窓よりも遠位側まで届くように形成されている、遮光ユニット。
【請求項２】
前記遮光体は、
複数のフレームの間に取り付けられて屋根を形成する屋根部と、
前記フレーム部から垂れ下がるスカート部と、を含み、
被検者から見て前方の前記スカート部は、遮光された空間内に前記検査ユニットの検査窓を少なくとも侵入させるための隙間を有する、請求項１記載の遮光ユニット。
【請求項３】
前記フレーム部は、前記眼科装置へ取り付けられた状態で、前後方向に折りたたみ、および、展開可能である、請求項１又は２記載の遮光ユニット。
【請求項４】
フレーム部は、逆Ｕ字状に屈曲された複数のフレームであって、各々の基端部が、左右方向に延びる旋回軸の周りに回動可能に支持された、複数のフレームを含み、
前記複数のフレームは重なるように回動させて折りたたみ可能である請求項３記載の遮光ユニット。
【請求項５】
前記複数のフレームにおける前記旋回点から最も遠位側の位置から、前記旋回点までの長さが、前記複数のフレームの間で互いに異なるように、前記複数のフレームは各々形成されている請求項４記載の遮光ユニット。
【請求項６】
前記フレーム部は、複数のフレームを含み、前記複数のフレームのうち、少なくとも、被検者から見て前記検査窓よりも遠位側まで届く部材が、弾性部材によって形成されている、請求項１から５のいずれかに記載の遮光ユニット。
【請求項７】
前記フレーム部は、複数のフレームを含み、前記複数のフレームのうち、少なくとも、被検者から見て前記検査窓よりも遠位側まで届く部材が、角の無いアーチ形状で形成されている、請求項３から６のいずれかに記載の遮光ユニット。
【請求項８】
前記フレーム部の内側に、外部固視灯を取り付けるための第２マウント部を有している請求項１から７のいずれかに記載の遮光ユニット。
【発明の詳細な説明】
【技術分野】
【０００１】
本開示は、眼科装置の遮光ユニットに関する。
【背景技術】
【０００２】
被検眼の観察、撮影、または、測定を行う、種々の眼科装置が知られている。眼科装置のうち光学系を用いたものは、外部からの光が被検眼および装置の光学系へ入射されることで、観察、撮影、または、測定へ悪影響を及ぼしてしまう場合がある。そこで、以前から、外部からの光が許容レベルとなるように、暗室内で眼科装置を使用したり、装置の検査窓と被検者の頭部とを、暗幕等で囲って眼科装置を使用したりする手法が採られていた。
【０００３】
例えば、特許文献１には、頭部支持台によって支持される頭部囲いが開示されている。暗幕は、頭部と装置を覆うように頭部囲いに取り付けられる。また、暗幕の装置側の部分では、暗幕によって遮光される空間内へ装置の鏡筒の先端を覗かせるように、鏡筒を包み込むようにして配置される。
【先行技術文献】
【特許文献】
【０００４】
【特許文献１】特公昭56-49573号公報
【発明の概要】
【発明が解決しようとする課題】
【０００５】
しかし、被検眼を撮影または測定する際に、検者によって、被検眼の開瞼作業が行われる場合がある。しかしながら、特許文献１に開示された頭部囲いが装置に装着されると、装置と暗幕との間には、検者が遮光された空間内に手を入れる隙間が無いので、検者による開瞼作業、および、外部固視灯の調整作業等の、遮光された空間内での作業が困難であった。
【０００６】
本開示は、従来技術の問題点の少なくとも１つを解決し、外部からの光を適正に遮光しつつ、検者が遮光された空間内で容易に作業すること、を技術課題とする。
【課題を解決するための手段】
【０００７】
本開示の第１態様に係る遮光ユニットは、光学系を備えた検査ユニットと、前記検査ユニットの検査窓と被検眼とが間隔をあけて向き合う状態で被検者の顔を支持する顔支持ユニットと、を有する眼科装置、へ取り付けられる遮光ユニットであって、前記顔支持ユニットへ取り付けられるマウント部と、外部光を遮るための遮光体が装着されるフレーム部と、を備え、前記フレーム部は、前記マウント部によって支持され、被検者の頭部を囲いつつ、被検者から見て前記検査窓よりも遠位側まで届くように形成されている。
【発明の効果】
【０００８】
本開示によれば、外部からの光を適正に遮光しつつ、検者が遮光された空間内で容易に作業しやすい。
【図面の簡単な説明】
【０００９】
【図１】眼科撮影システム全体を示した図である。
【図２】遮光ユニットを詳細に説明するための図であり、展開された状態の遮光ユニットを示している。
【図３】遮光ユニットを詳細に説明するための図であり、折りたたまれた状態の遮光ユニットを示している。なお、暗幕の図示は省略している。
【図４】変形例に係る眼科撮影システムを示した図である。
【図５】第２の変形例に係る遮光ユニットを説明するための図である。
【発明を実施するための形態】
【００１０】
「概要」
以下、図面を参照しつつ、本開示を実施形態に基づいて説明する。以下、実施形態として、遮光ユニット、および、遮光ユニットを含む眼科撮影システムを説明する。
【００１１】
眼科撮影システムは、遮光ユニット１００と、眼科装置１と、を含む。眼科装置１は、光学系を介して被検眼を観察、撮影、または、測定する。その際、遮光ユニット１００は、被検眼および眼科装置１の光学系に、外部からの光が入射してしまうことを抑制する。以下の説明において、「観察、撮影、または、測定」をまとめて「検査」と称する。
【００１２】
＜眼科装置＞
まず、眼科装置１を説明する。光学系を介して検査する種々の装置を、眼科装置１へ適用し得る。眼科装置１は、被検眼の前眼部または眼底を観察又は撮影する装置であってもよいし、被検眼の眼特性を測定する装置であってもよい。被検眼を観察又は撮影する装置としては、ＯＣＴ装置、眼底カメラ、ＳＬＯ、スリットランプ、ゴニオスコープ等が例示される。被検眼の眼特性を測定する装置としては、レフラクトメータ、収差計、ケラトメータ、トポグラファー、パキメータ、眼軸長測定装置、等が例示される。便宜上、以下では、特に断りが無い限り、眼科装置１が眼底カメラであるものとして、説明を行う。
【００１３】
図１に示すように、本実施形態に係る眼科装置１は、いわゆる据え置き型の装置である。眼科装置１は、検査ユニット２と、顔支持ユニット９と、を少なくとも備える。また、図１に示すように、眼科装置１は、基台５と、駆動部４と、の少なくともいずれかを更に有していてもよい。
【００１４】
図１において、検査ユニット２は、駆動部４を介して基台５上に配置されている。また、顔支持ユニット９は、基台５に設けられている。少なくとも検査ユニット２は、筐体（カバー）６に収容される。
【００１５】
検査ユニット２には、検査に利用される主要な光学系が収容される。検査ユニット２には、光源および受光素子のうち少なくとも一方を有していてもよい（いずれも図示せず）。検査ユニット２の被検眼側の端部には、検査窓２ａが設けられている。検査窓２ａは、光学系の先端に位置する。検査の際、検査ユニット２は、検査窓２ａを介して光源からの光を投受光する。検査窓２ａは、例えば、対物レンズ（図示せず）の一面であってもよい。また、ガラスの平板等の透明部材によって検査窓２ａは形成されてもよい。検査ユニット２から被検眼へ照射された光に対する被検眼からの戻り光は、受光素子によって受光される。受光素子からの信号に基づいて検査結果が得られる。
【００１６】
顔支持ユニット９は、被検者の顔を支持する。このとき、被検者の顔は、検査ユニット２と向き合うように支持される。顔支持ユニット９は、額当て１０、および、顎台（「顎受け台」ともいう）１１を有する。
【００１７】
駆動部４は、検査ユニット２と被検眼Ｅとの位置関係を調整する。駆動部４は、３次元的に位置関係を調整してもよい。駆動部４は、検者から加えられる力に応じて撮影ユニットを移動させるメカニカルな機構であってもよい。これに代えて、又は、追加的に、駆動部４は、制御信号に応じて撮影ユニットを移動させるアクチュエータ（図示せず）を備えていてもよい。なお、本実施形態では、検査ユニット２が駆動部４によって移動されるが、必ずしもこれに限られるものではない。例えば、被検眼Ｅ側が移動されることで、検査ユニット２と被検眼Ｅとの位置関係が調整されてもよい。この場合、顔支持ユニット１０を移動させる駆動部（図示せず）を、眼科装置１が有してもよい。
【００１８】
本実施形態では、検査の際には事前に、駆動部４を駆動させてアライメント状態が調整される。これにより、所要作動距離分の間隔をあけて検査窓２ａと被検眼Ｅとが互いに向き合って配置される。この状態で被検眼が検査される。
【００１９】
＜遮光ユニット＞
次に、図２，図３を参照して、遮光ユニット１００を説明する。本実施形態において、遮光ユニット１００は、幌状に形成されている。遮光ユニット１００は、眼科装置１へ装着した状態で使用される。図１，２においては、使用状態における遮光ユニット１００が示されている。
【００２０】
以下に説明するように、遮光ユニット１００は、折りたたみ可能であってもよい。図３には、折りたたまれた状態の遮光ユニット１００を示している。眼科装置１から取り外され、折りたたまれた状態で、遮光ユニット１００をコンパクトに収納できる。なお、遮光ユニット１００には、専用のケースが付属していてもよい。以下の説明では、コンパクトに折りたたまれた状態から使用時の状態へ遮光ユニット１００の状態が遷移することを、「展開」という。
【００２１】
本実施形態において、遮光ユニット１００は、フレーム部１０１と、旋回部１０５ａ，１０５ｂと、暗幕（遮光布ともいう）１１０ａ〜１１０ｄと、マウント部１２０ａ，１２０ｂと、を備える。
【００２２】
遮光ユニット１００は、マウント部１２０ａ，１２０ｂを介して、眼科装置１へ装着される。また、マウント部１２０ａ，１２０ｂは、遮光ユニット１００の各部を直接的にまたは間接的に支持する。本実施形態におけるマウント部１２０ａ，１２０ｂは、顔支持ユニット９に装着される。図１に示すように、マウント部１２０ａ，１２０ｂは、特に、額当て１０に対して装着されてもよい。図２，３に示すマウント部１２０ａ，１２０ｂは、２つの部材に別れており、額当て１０の左右に各１つ装着される。但し、マウント部は必ずしも２つに別れている必要は無い。マウント部１２０ａ，１２０ｂとして、種々の機構を利用できる。例えば、マウント部１２０ａ，１２０ｂは、ねじ機構であってもよいし、クランプ機構であってもよいし、その他の機構であってもよい。なお、マウント部１２０ａ，１２０ｂは、例えば、クランプ機構のように、顔支持ユニット９に対する加工を必要とせずに、顔支持ユニット９へ取り付けられることが望ましい。眼科装置側の加工が不要であると、異なる機種の間で、遮光ユニット１００を使いまわしやすい。
【００２３】
フレーム部１０１には、遮光体として、暗幕１１０ａ〜１１０ｄが取り付けられる。本実施形態において、フレーム部１０１は、眼科装置１へ取り付けられた状態で、前後方向に折りたたみ、および、展開可能である。詳細には、フレーム部１０１は、複数のフレーム１０１ａ〜１０１ｄを含んでおり、複数のフレーム１０１ａ〜１０１ｄによって、上記のような折りたたみ構造が実現される。
【００２４】
図１〜図３に示すフレーム１０１ａ〜１０１ｄは、それぞれ、逆Ｕ字状に屈曲されている。このとき、図３に示すように、フレーム１０１ａ〜１０１ｄは、アーチ状（換言すれば、円弧状または楕円弧状）に形成されていてもよい。
【００２５】
図３に示すように、フレーム１０１ａ〜１０１ｄは、それぞれの長さが互いに異なっていてもよい。各フレーム１０１ａ〜１０１ｄの長さは、［  フレーム１０１ａ＞フレーム１０１ｂ＞フレーム１０１ｃ＞フレーム１０１ｄ  ］となっている。詳細は後述するが、遮光ユニット１００の展開状態では、各フレーム１０１ａ〜１０１ｄの中で、フレーム１０１ａが、被検者から見て最も前方側に位置される。このとき、被検者から見て検査窓２ａよりも遠位側までフレーム１０１ａが届くように、フレーム１０１ａの全長は定められている。なお、フレーム１０１ｂ、フレーム１０１ｃ、フレーム１０１ｄの順に、より後方側へ配置される。
【００２６】
フレーム１０１ａ〜１０１ｄは、弾性部材によって形成されていることが好ましい。アライメントを調整する際に、フレーム１０１ａ〜１０１ｄが筐体６等と接触してしまっても、フレーム１０１ａ〜１０１ｄが弾性変形することで、眼科装置１の傷や破損が低減されやすい。この場合、フレーム１０１ａ〜１０１ｄにおける剛性が、筐体６よりも低くなるように、フレーム１０１ａ〜１０１ｄの材質および形状が選択されてもよい。
【００２７】
また、フレーム１０１ａ〜１０１ｄが弾性変形する場合、眼科装置１における取付箇所の形状にあわせてマウント部１２０が取り付けやすくなる。この点は、上記したように、異なる機種の間で、遮光ユニット１００を使いまわす場合においても有意義である。
【００２８】
図２，３に示すように、複数のフレーム１０１ａ〜１０１ｄは、旋回部１０５ａ，１０５ｂによって、左右方向に延びる軸線Ｏ（旋回軸と称する）に対して旋回自在に支持されてもよい。このとき、各フレーム１０１ａ〜１０１ｄは、独立して旋回できる。詳細には、複数のフレーム１０１ａ〜１０１ｄにおける左側端部は旋回部１０５ａによって、同じく右側端部は旋回部１０５ｂによって、回転自在に支持される。例えば、旋回部１０５ａ，１０５ｂは左右方向に延びる短いシャフト（丸棒）を有し、更には、フレーム１０１ａ〜１０１ｄの両端にはシャフトが貫通する丸穴が形成されていることで、フレーム１０１ａ〜１０１ｄが旋回部１０５ａ，１０５ｂによって回転自在に支持されていてもよい。
【００２９】
なお、図２，３に示した例において、旋回部１０５ａ，１０５ｂは、マウント部１２０ａ，１２０ｂ上に形成されている。しかし、必ずしもこれに限られるものでは無く、マウント部１２０ａ，１２０ｂから離れた位置に旋回部１０５ａ，１０５ｂが形成されていてもよい。
【００３０】
暗幕１１０ａ〜１１０ｄは、光を遮断する遮光体の一例である。暗幕１１０ａ〜１１０ｄは、公知の暗幕用の布地によって形成されてもよい。便宜上、本実施形態では、暗幕が取り付けられるフレームに応じて、暗幕を、１１０ａ〜１１０ｄの４つに大別して説明する。但し、暗幕１１０ａ〜１１０ｄは、それぞれ別布で形成されていてもよいし、暗幕１１０ａ〜１１０ｄのうち任意の組み合わせが１枚布で形成されていてもよい。暗幕１１０ａ〜１１０ｄは、フレーム１０１ａ〜１０１ｄに対して着脱自在であってもよい。着脱の手法としては、種々の手法が考えられるが、例えば、面ファスナー等を用いた、ワンタッチで着脱できる手法が好ましい。
【００３１】
暗幕１１０ａは、被検者の頭部上方を覆い、遮光ユニット１００において屋根となる部分である。一例として、図２に示す暗幕１１０ａは、互いに異なる２本のフレームの間に取り付けられている。詳細には、フレーム１０１ａとフレーム１０１ｂとの間、フレーム１０１ｂとフレーム１０１ｃとの間、フレーム１０１ｃとフレーム１０１ｄとの間、にそれぞれ取り付けられている。これにより、遮光ユニット１００を展開したときの各フレーム１０１ａ〜１０１ｄの位置関係が規制される。また、暗幕１１０ａは、各フレーム１０１ａ〜１０１ｄが展開された状態で被検者の頭部を覆うことができるように、布幅に十分な余裕が設けられている。
【００３２】
暗幕１１０ｂ〜１１０ｄは、フレーム部１０１から垂れ下がる部分（スカート部ともいう）である。
【００３３】
特に、暗幕１１０ｂ，１１０ｃは、フレーム１０１ａから下方へ垂れ下がっており、被検者の顔の側面から前面にかけて配置される。被検者の顔の前方で垂れ下がった暗幕１１０ｂ，１１０ｃとの間には、隙間１１５が形成される。この隙間１１５から、暗幕１１０ａ〜１１０ｄによって遮光された空間内に、検査ユニット２の検査窓２ａが少なくとも侵入される。隙間１１５は、被検者から見て検査窓２ａよりも遠位側の位置に形成されることがより好ましい。暗幕１１０ｂ，１１０ｃは、眼科装置１に固定されることなくフレーム１０１ａから垂れ下がっていることで、暗幕１１０ａ〜１１０ｄによって囲われた空間内へ、隙間１１５から検者が手を入れやすい。
【００３４】
暗幕１１０ｄは、フレーム１０１ｄから下方へ垂れ下がっており、被検者の顔の側面から後面にかけて配置される。
【００３５】
暗幕１１０ａ〜１１０ｄの外側を向く面には、キャラクターや図形、文字（ロゴ）等が付されていてもよい。
【００３６】
＜使用方法＞
次に、図１〜３に示す遮光ユニット１００の使用方法を示す。
【００３７】
検者は、例えば、以下のようにして、遮光ユニット１００のセッティングを行う。
【００３８】
まず、検者は、マウント部１２０ａ，１２０ｂを、顔支持ユニット９へ取り付ける。図１〜３に示す遮光ユニット１００は、特に、額当て１０における、こめかみ付近の位置に装着される。遮光ユニット１００の装着位置が額当て１０であることで、フレーム部１０１をコンパクトに形成できる。その結果、遮光ユニット１００のサイズおよび重量が抑制されやすい。
【００３９】
図１〜３に示すように、フレーム部１０１の形状が前後非対称である場合には、装着時に、遮光ユニット１００の前後の向きに、検者は注意する必要がある。ここでは、フレーム部１０１を形成する複数のフレーム１０１ａ〜１０１ｄのうち、最も長い１０１ａが被検者の前方へ配置されるような向きで、遮光ユニット１００は顔支持ユニット９へ装着される。なお、フレーム部１０１の形状が前後非対称である場合において、前後方向を特定するための目印が、遮光ユニット１００のいずれかの部位（フレーム部１０１、マウント部１２０ａ，１２０ｂ等）に設けられていてもよい。目印は、記号、文字、又は、図等でもよい。
【００４０】
フレーム部１０１に対して暗幕１１０ａ〜１１０ｄが予め取り外されている場合であれば、検者は、遅くともこの段階で暗幕１１０ａ〜１１０ｄを取り付ける。また、検者は、すべてのフレーム１０１ａ〜１０１ｄを、検査ユニット２側へ（被検者から見て前方へ）倒して、遮光ユニット１００を畳んだ状態にしておくことが好ましい。
【００４１】
上記のようなセッティング後、検査に際して、検者は、被検者の顔を顔支持ユニット９へ固定させる。次に、検者は、フレーム１０１ｂ〜１０１ｄを被検者の後方側へ倒して、遮光ユニット１００を展開させる。被検者側から見て最も前方のフレーム１０１ａは、筐体６の上面に接する程度まで近づけて配置させる。また、検者は、暗幕１１０ｂ〜１１０ｄが適正に垂れ下がるように、適宜、暗幕１１０ｂ〜１１０ｄを手で整えてもよい。例えば、暗幕１１０ｂ，１１０ｃが、検査窓２ａと被検眼との間を遮るように垂れていたら、フレーム１０１ａから垂れている暗幕１１０ｂ，１１０ｃの隙間１１５から、検査窓２ａを含む検査ユニット２の少なくとも一部を、暗幕１１０ａ〜１１０ｄによって遮光される空間（以下、「遮光空間」と称する）内へ進入させる。この状態において、暗幕１１０ｂ，１１０ｃは、筐体６の側面に沿って自重で垂れるので、暗幕１１０ｂ，１１０ｃの一部を、わざわざ筐体６に対して固定しなくても、筐体６の側面と暗幕１１０ｂ，１１０ｃとの間に隙間が生じにくい。換言すれば、（展開状態で）フレーム部１０１は、被検者から見て検査窓２ａよりも遠位側まで届くように形成されており、これにより、フレーム部１０１に暗幕１１０を取り付けた時に、暗幕１１０ｂ，１１０ｃの一部をわざわざ筐体６に対して固定しなくても、良好に遮光できるようになる。そして、暗幕１１０ｂ，１１０ｃの一部をわざわざ筐体６に対して固定することが不要であるため、後述の開瞼作業を良好に行うことができる。
【００４２】
展開状態で、眼科装置１へ遮光ユニット１００を取り付けた状態で、フレーム１０１ａ〜１０１ｄの位置を調整できる。眼科装置１における筐体６の形状に応じて、位置を調整することで、アライメントの際に、眼科装置１へ遮光ユニット１００とが強く接触してしまうことを防止できる。
【００４３】
遮光ユニット１００が上記のように展開された状態で、被検眼と検査ユニット２との位置関係が調整される（アライメント調整）。このとき、被検者側から見て最も前方のフレーム１０１ａが、検査ユニット２を収容する筐体６に触れながら、位置関係が変更される場合があり得る。フレーム１０１ａは、角が無いアーチ状に形成されているので、位置関係が変化する際に、筐体６に引っ掛かりにくく、アライメント調整を妨げにくい。また、フレーム１０１ａが弾性部材によって形成されていれば、調整の際にフレーム１０１ａと筐体６とが押し合ってしまったとしても、フレーム１０１ａが撓むことで、眼科装置１および遮光ユニット１００の破損、および、遮光ユニット１００の脱落等を抑制できる。但し、各フレーム１０１ａ〜１０１ｄは必ずしも角の無い形状に限定されるものでは無い。例えば、コの字状等の角ばった形状であってもよい。
【００４４】
アライメント調整後、検査ユニット２から検査用の光が投受光される。フレーム１０１ａから垂れ下がる暗幕１１０ｂ，１１０ｃの間に隙間１１５が設けられている。暗幕１１０ｂ，１１０ｃは、眼科装置１に固定されていない。これにより、検者は、隙間１１５から遮光空間内へ手を入れて開瞼作業を行ったり、外部固視灯の位置調整等の作業における作業性が良好である。
【００４５】
遮光ユニット１００は、使用後、折りたたんで収納できる。図１〜３の例では、複数のフレーム１０１ａ〜１０１ｄにおける旋回軸Ｏから最も遠位側の位置から、旋回軸Ｏまでの長さが、各フレームの間で互いに異なっている。その結果、各フレーム１０１ａ〜１０１ｄを同一の回転位置で重ねることができるので、収納時にかさばりにくい。
【００４６】
以上、実施形態に基づいて説明を行ったが、本開示を実施するうえで、実施形態の内容を適宜変更できる。
【００４７】
例えば、図４に示すように、フレーム部１０１に、外部固視灯１３０を取り付けるための第２マウント部１４０が形成されていてもよい。外部固視灯１３０は、第２マウント部１４０から着脱可能であってもよいし、取り外しできない態様で、遮光ユニット１００に設けられていてもよい。外部固視灯は、例えば、任意の形状に折り曲げて形を固定できるフレキシブルなケーブル１３５を介して第２マウント部１４０に取り付けられていてもよい。
【００４８】
上記実施形態において、暗幕１１０ａ〜１１０ｄのうち、フレーム部１０１から垂れ下がる部分（つまり、スカート部を構成する暗幕１１０ｂ〜１１０ｄ）は、連続的に形成されている場合について説明したが、必ずしもこれに限られるものでは無い。例えば、フレーム１０１ａ，１０１ｄからフリンジ状に垂れ下がる複数の縦長の布片、または、紐によって、暗幕１１０ｂ〜１１０ｄの全部または一部が形成されてもよい。
【００４９】
また、上記実施形態において、フレーム部１０１は、逆Ｕ字状に屈曲された複数のフレームを、旋回軸の周りに回動させることで折りたたみ、および、展開されるものであったが、必ずしもこれに限られるものではない。例えば、図５に示すように、各フレーム１０１ａ〜１０１ｄの基端部が、シャフトではなく弧状のレール１５０によって支持されており、これにより、各フレームの前後移動が実現されてもよい。勿論、他の機構によって、折りたたみ、および、展開が実現されてもよい。
【００５０】
また、上記実施形態にいて、フレーム部１０１へ取り付けられる遮光体は暗幕である場合を説明したが、必ずしもこれに限られるものではない。遮光体は、暗幕のような布である必要は無く、例えば、弾性を持つ樹脂（シリコーンゴムやビニール等）で形成されていてもよい。
【符号の説明】
【００５１】
１      眼科装置
２      検査ユニット
２ａ    検査窓
９      顔支持ユニット
１００      遮光ユニット
１０１      フレーム部
１１０      暗幕
１２０ａ，１２０ｂ      マウント部
Ｅ      被検眼
【図１】
2020081114.tif 000003
【図２】
2020081114.tif 000004
【図３】
2020081114.tif 000005
【図４】
2020081114.tif 000006
【図５】
2020081114.tif 000007